(57)【特許請求の範囲】
【請求項１】
写真フイルムを巻取り軸の周りに巻きつけてフイルムスクロールを作成し、このフイルムスクロールを巻取り軸ごと本体基部に形成されたフイルムスクロール室に挿入した後、本体基部の背面側を後カバーで覆い、次に巻取り軸を引き抜くことにより、フイルムスクロール室の底壁及びこれに対応する位置に設けられた後カバーの突起部によってフイルムスクロールの端面が規制され、フイルムスクロールがフイルムスクロール室に残留されるようにしたレンズ付きフイルムユニットのフイルム装填方法において、
前記フイルムスクロール室の底壁または後カバーの突起部の少なくとも一方に、前記巻取り軸の周面に近接したフイルムスクロールの端面を規制するフイルム押さえ片を一体に形成するとともに、前記巻取り軸の軸方向に、前記フイルム押さえ片が入り込むスリットを形成したことを特徴とするレンズ付きフイルムユニットのフイルム装填方法。
【請求項２】
前記スリットは、少なくとも一方の間口の縁を大きな曲率半径で形成したことを特徴とする請求項１記載のレンズ付きフイルムユニットのフイルム装填方法。
【発明の詳細な説明】
【０００１】
【発明の属する技術分野】
本発明は、レンズ付きフイルムユニットのフイルム装填方法に関し、更に詳しくはフイルムスクロール室に挿入したフイルムスクロールから巻取り軸を引き抜く際にフイルムスクロールが竹の子状になってフイルムスクロール室からはみ出すことを防止するレンズ付きフイルムユニットのフイルム装填方法に関するものである。
【０００２】
【従来の技術】
簡易な露光機構を備えたユニット本体に製造段階で予めパトローネ付き写真フイルムを装填して写真フイルムの装填操作や巻戻し操作を不要にしたレンズ付きフイルムユニット，例えば「写ルンですSuper800」（商品名）が市販されている。このユニット本体は、パトローネを収納するパトローネ収納室と、パトローネから引き出した写真フイルムをスクロール形態に巻いたフイルムスクロールが収納されるフイルムスクロール室とが形成され、簡易な露光機構が組み込まれた本体基部と、この本体基部の前面側を覆う前カバーと、パトローネ収納室とフイルムスクロール室の各底部を覆うそれぞれの蓋部がヒンジ部を介して一体成形され、本体基部の背面側を光密に覆う後カバーとから構成されている。
【０００３】
このレンズ付きフイルムユニットを組み立てるには、明室にて本体基部に露光機構を組み込んでから本体基部の前面側に前カバーを装着する。一方、暗室にて、パトローネから写真フイルムを引き出して巻取り軸の周りに巻きつけ、フイルムスクロールを作成する。本体基部を暗室に搬入した後、本体基部のパトローネ収納室にパトローネを挿入してスプールの先端部を巻き上げノブと一体成形された係合軸に係合させてから、フイルムスクロールを巻取り軸ごとフイルムスクロール室に挿入する。
【０００４】
フイルムスクロール室の底壁には、巻取り軸を通すＵ字形の切欠が形成されている。一方の後カバーには、半円形の切欠を有する突起部が一体成形されている。この後カバーを本体基部の背面側に装着すると、後カバーの突起部がフイルムスクロール室の底壁のＵ字形の切欠に入り込んでほぼ円形の孔が形成され、この孔から巻取り軸が外部に突出した状態になる。この後、巻取り軸を引き抜くと、フイルムスクロールの端面がフイルムスクロール室の底壁と後カバーの突起部によって規制され、フイルムスクロールがフイルムスクロール室に残留する。この後、後カバーの各蓋部をヒンジ部を中心に回動させて本体基部側に押しつけることにより、各蓋部がパトローネ収納室とフイルムスクロール室の各底部に爪係合し、各室が光密に閉じられる。このように組み立てられたユニット本体に紙製の外ケースを被せることによりレンズ付きフイルムユニットが完成される。
【０００５】
【発明が解決しようとする課題】
ところで、フイルムスクロールから巻取り軸を引き抜く際に、巻取り軸が上記孔の縁と擦れ合うと、この孔の縁が削られて樹脂のゴミが出る。このため、巻取り軸と孔の縁との間には、０．５ｍｍ程度のクリアランスが設けてある。ところが、このクリアランスがあるため、フイルムスクロールが巻取り軸に密着している最も内側の部分が巻取り軸と孔の縁との間から竹の子状になって本体基部の外にはみ出すという現象が発生し、問題となっている。
【０００６】
本発明は、このような問題を解決するためになされたもので、フイルムスクロールが竹の子状になって巻取り軸と孔の縁との間から本体基部の外にはみ出すことを防止してフイルム装填を確実に行なうことができるレンズ付きフイルムユニットのフイルム装填方法を提供することを目的とする。
【０００７】
【課題を解決するための手段】
上記目的を達成するために、本発明のレンズ付きフイルムユニットのフイルム装填方法は、写真フイルムを巻取り軸の周りに巻きつけてフイルムスクロールを作成し、このフイルムスクロールを巻取り軸ごと本体基部に形成されたフイルムスクロール室に挿入した後、本体基部の背面側を後カバーで覆い、次に巻取り軸を引き抜くことにより、フイルムスクロール室の底壁及びこれに対応する位置に設けられた後カバーの突起部によってフイルムスクロールの端面が規制され、フイルムスクロールがフイルムスクロール室に残留されるようにしたレンズ付きフイルムユニットのフイルム装填方法において、前記フイルムスクロール室の底壁または後カバーの突起部の少なくとも一方に、前記巻取り軸の周面に近接したフイルムスクロールの端面を規制するフイルム押さえ片を一体に形成するとともに、前記巻取り軸の軸方向に、前記フイルム押さえ片が入り込むスリットを形成したものである。また、巻取り軸のスリットは、少なくとも一方の間口の縁を大きな曲率半径で形成したものである。
【０００８】
【発明の実施の形態】
レンズ付きフイルムユニットのユニット本体１１は、図２に示すように、背面側にパトローネ付き写真フイルム１２を収納する本体基部１５と、この背面側を覆う後カバー１６と、本体基部３１の前面側を覆う前カバー１７とからなる。なお、図示してないが、本体基部１５の前面側には、簡易な露光機構が取り付けられている。
【０００９】
本体基部１５の背面側には、アパーチャ１８を挟んで左右に、フイルムスクロール１２ａを収納するフイルムスクロール室２２と、パトローネ２０を収納するパトローネ収納室２３とが形成されている。なお、フイルムスクロール１２ａは、パトローネ２０から引き出した写真フイルム１２を巻取り軸２５の周りにスクロール形態に巻いて作成したものである。
【００１０】
巻取り軸２５の先端部には、写真フイルム１２のリーダ部１２ｂ（図１参照）が挿入されるスリット２５ａが軸方向に形成されている。このスリット２５ａは、巻取り軸２５の先端から写真フイルム１２が巻きつけられる範囲よりやや長く形成されている。すなわち、フイルムスクロール１２ａを作成したとき、巻取り軸２５の基部２５ｂ側のスリット２５ａが所定の長さ以上に露呈され、後述するフイルム押さえ片がこのスリット２５ａに入り込むようにする。また、スリット２５ａの幅は、図１に示すように、間口は広く、奥（巻取り軸２５の中心部）が狭くなっている。これにより、後述するフイルム押さえ片が入り込みやすく、かつ写真フイルム１２の先端がスリット２５ａの奥に保持されやすくなる。また、写真フイルム１２に折れ癖がつきにくいように、間口の縁は大きな曲率半径で形成してある。
【００１１】
フイルムスクロール室２２の底側には、フイルムスクロール室２２の周面に沿ってほぼ所定の幅で円弧状に形成された底壁２４が設けられる。この底壁２４の中央部には、舌状のフイルム押さえ片２４ａが形成されている。このフイルム押さえ片２４ａは、フイルムスクロール１２ａを巻取り軸２５ごとフイルムスクロール室２２に挿入した際に、図１に示すように、スリット２５ａの幅が広くなった間口部分に入り込んで巻取り軸２５近くに巻かれたフイルムスクロール１２ａの端面を規制し、巻取り軸２５をフイルムスクロール１２ａから引き抜く際に、巻取り軸２５近くの端面が竹の子状に突出されるのを防止する。
【００１２】
なお、底壁２４の両端部２４ｂ，２４ｃは、厚みがやや薄くなっており、後述する後カバー１６の突起部の内壁面と密接されるようになっている。また、本体基部１５の底部及び上部には、後カバー１６を本体基部１５に装着するための係合爪２７ａ，２７ｂ，２７ｃ，２７ｄが形成されている。また、本体基部１５の側部には、前カバー１７を本体基部１５に装着するための係合爪２７ｅ，２７ｆが形成されている。
【００１３】
後カバー１６の底壁２４に対応した位置には、中央部が円弧状に切り欠かれた突起部３０が形成されている。この突起部３０の縁の中間部分には、本体基部１５のフイルム押さえ片２４ａと同様のフイルム押さえ片３０ａが形成されている。本体基部１５の背面側に後カバー１６を装着すると、図１に示すように、突起部３０の両端部３０ｂ，３０ｃの内壁面が、底壁２４の両端部２４ｂ，２４ｃと密接し、底壁２４と突起部３０とによって巻取り軸２５が挿通される挿通孔３５が形成される。
【００１４】
後カバー１６の底側縁部の左右には、本体基部１５のフイルムスクロール室２２，パトローネ収納室２３の各底部を爪係合にて光密に閉じる蓋部２８，２９が厚みの薄いヒンジ部３１，３２を介してそれぞれ一体に形成されている。なお、底部３３には、前記係合爪２７ａ，２７ｂに対応した位置に係合孔３３ａ，３３ｂが形成されている。また、前記係合爪２７ｃ，２７ｄに対応した位置に係合爪３４ａ，３４ｂが形成されている。
【００１５】
前カバー１７の側部には、本体基部１５の係合爪２７ｅ，２７ｆと係合される切欠１７ａ，１７ｂが形成されている。また、前カバー１７の前側裏面には、係合爪１７ｃが形成され、これが図示しない本体基部１５の前部に形成された係合爪と係合される。
【００１６】
ユニット本体１１を組み立てるには、先に、別ラインにて本体基部１５の前面側に露光機構やストロボ装置等を取り付け、更に前カバー１７を装着する。この前カバー１７の装着に際しては、本体基部１５の前面側に前カバー１７を被せて押しつける。これにより、本体基部１５の係合爪２７ｅ，２７ｆに前カバー１７の切欠１７ａ，１７ｂが係合し、また本体基部１５の図示しない係合爪と前カバー１７の係合爪１７ｃとが係合して前カバー１７が本体基部１５の前面に係止される。
【００１７】
一方、暗室内にて、パトローネ２０から写真フイルム１２を引き出し、このリーダ部１２ｂを巻取り軸２５のスリット２５ａに差し込む。そして、巻取り軸２５を回転させて写真フイルム１２を巻取り軸２５の周面に巻きつけ、フイルムスクロール１２ａを作成する。このとき、フイルムスクロール１２ａは巻取り軸２５の先端側に寄せて作成し、巻取り軸２５の基部２５ｂ側のスリット２５ａが露呈されるようにする。
【００１８】
前カバー１７が装着された本体基部１５が暗室内の組立ラインに搬入されると、図２に示す状態からパトローネ２０が降下され、パトローネ２０のスプール４２が巻上げノブ４４と一体成形された係合軸４４ａに係合するようにして、パトローネ２０がパトローネ収納室２３内に挿入される。次に、スリット２５ａの位置をフイルム押さえ片２４ａに合わせながら、巻取り軸２５ごとフイルムスクロール１２ａを降下させ、フイルムスクロール１２ａをフイルムスクロール室２２に挿入する。
【００１９】
続いて、本体基部１５の背面側に後カバー１６を被せて本体基部１５側へ押圧する。本体基部１５の係合爪２７ａ，２７ｂに後カバー１６の係合孔３３ａ，３３ｂが、また係合爪２７ｃ，２７ｄに係合爪３４ａ，３４ｂが係合し、本体基部１５に後カバー１６が装着される。これにより、突起部３０のフイルム押さえ片３０ａがスリット２５ａに挿入されるとともに、底壁２４と突起部３０とによって挿通孔３５が形成され、ここから巻取り軸２５が外部に突出された状態となる。
【００２０】
この後、巻取り軸２５をフイルムスクロール室２２から引き離す方向に引っ張ると、フイルムスクロール１２ａの外側の端面が本体基部１５の底壁２４と後カバー１６の突起部３０の各内壁面に規制され、かつフイルムスクロール１２ａの内側の端面がフイルム押さえ片２４ａ，３０ａに規制されるから、写真フイルム１２が竹の子状になって挿通孔３５から突出することなく、巻取り軸２５はフイルムスクロール１２ａから引き抜かれる。この結果、フイルムスクロール１２ａは端面が揃った状態でフイルムスクロール室２２内に残留する。
【００２１】
次に、後カバー１６の蓋部２８，２９を回動させてフイルムスクロール室２２，パトローネ収納室２３をそれぞれ光密に閉じる。このようにフイルム装填が終了したユニット本体１１は、暗室内の組立ラインから明室の試験ラインに搬送される。ユニット本体１１は、フイルム巻き上げや露光機構の作動テストを経た後、別ラインに搬入されて外ケースを被せられ、レンズ付きフイルムユニットとして完成される。
【００２２】
別の実施形態を示す図３において、巻取り軸４１は、スリット４１ａの形状が前記実施形態とは異なり、スリット４１ａは巻取り軸４１の断面中心からずれた位置に形成されている。スリット４１ａの一方の間口４２は、写真フイルム１２のリーダ部１２ｂを挿入するために大きく開いた形状になっており、この一方の縁４２ａは大きい曲率半径で形成されている。他方の間口４３は、リーダ部１２ｂの先端部をほぼ直角に屈曲させた状態で保持する形状になっており、リーダ部１２ｂがスリット４１ａから容易には離脱しないようになっている。
【００２３】
フイルム押さえ片４４は、後カバー４５の突起部４６に形成されており、本体基部４８の底壁４９には設けていない。なお、フイルムスクロール１２ａをフイルムスクロール室５０に挿入する際には、大きい方の間口４２が上（後カバー４５側）になるように挿入する。また、逆にフイルム押さえ片を本体基部４８の底壁４９側に設け、後カバー４５の突起部４６側に設けないようにしてもよい。この場合には、フイルムスクロール１２ａのフイルムスクロール室５０への挿入は、間口４３が上になるようにして行なう。
【００２４】
なお、本発明に係る巻取り軸のスリット形状やフイルム押さえ片の形状は、上記実施形態に限定されないのは勿論である。また、フイルム押さえ片が入り込むスリットの代わりに、例えば溝を巻取り軸に形成してもよい。この場合には、巻取り軸に写真フイルムの先端を保持する機構として、例えば巻取り軸の周面の一部に凹部を形成し、これに写真フイルムの先端を保持する押圧バネ等を設けるのがよい。
【００２５】
【発明の効果】
以上説明したように、本発明のフイルム装填方法によれば、フイルムスクロール室の底壁または後カバーの突起部の少なくとも一方に、巻取り軸の周面に近接したフイルムスクロールの端面を規制するフイルム押さえ片を一体に形成したので、巻取り軸をフイルムスクロールから引き抜く際に、フイルムスクロールの端面が竹の子状に突出されることなくフイルム装填を行なうことができる。また、巻取り軸の軸方向にフイルム押さえ片が入り込むスリットを形成したので、確実にフイルムスクロールの端面位置を規制でき、フイルムスクロールの端面が竹の子状に突出されるのを防止できる。また、スリットの少なくとも一方の間口の縁を大きな曲率半径で形成したから、フイルム押さえ片がスリットに入り込みやすくなるとともに、写真フイルムのリーダ部が折れるのを防止できる。
【図面の簡単な説明】
【図１】本発明に係る巻取り軸のスリットと本体基部の底壁，後カバーの突起部の各フイルム押さえ片との関係を示す説明図である。
【図２】本発明を実施したレンズ付きフイルムユニットの分解斜視図である。
【図３】本発明の別の実施形態を示す説明図である。
【符号の説明】
１１  ユニット本体
１２  写真フイルム
１２ａ  フイルムスクロール
１５，４８  本体基部
２２，５０  フイルムスクロール室
２４，４９  底壁
２４ａ，３０ａ，４４  フイルム押さえ片
２５，４１  巻取り軸
２５ａ，４１ａ  スリット
３０，４６  突起部
３５  挿通孔
【図１】
0003723271.tif 000002
【図２】
0003723271.tif 000003
【図３】
0003723271.tif 000004